(57)【特許請求の範囲】
【請求項１】
遊技演出のための表示を行う表示部の前方に配され、その表示部を目視可能にする透孔を有する回転可能なベース板と、このベース板に設けられた可動体と、この可動体を前記ベース板上で駆動する駆動手段とを有し、この可動体を動作させて遊技を演出する可動役物装置において、
前記ベース板の前面に前記透孔に対向する開口部を有する装飾カバーを固定し、この装飾カバーに後方へ突出する枠部を設けると共に、この枠部の後端部を前記透孔の周辺に位置する前記ベース板の前面側に当接させ、前記枠部により前記ベース板の前面と前記装飾カバーの背面との間に形成された空間に、前記駆動手段の少なくとも一部を収容したことを特徴とする可動役物装置。
【発明の詳細な説明】
【技術分野】
【０００１】
本発明は、パチンコ機等の遊技機の遊技盤に設けられ、可動体を動作させて遊技を演出する可動役物装置に関する。
【背景技術】
【０００２】
この種の可動役物装置は例えば特許文献１に開示されている。この特許文献１に開示されたパチンコ機は遊技演出のための表示を行う表示部を遊技盤の略中央に備え、この表示部の前方に可動役物装置が設けられている。この可動役物装置は、表示部を目視可能にする左右方向に長い矩形状の透孔が形成されたセンターケースと、このセンターケースに設けられ表示部の前方で動作する両開きの引き戸状の１対の駆動扉（可動体）を有する。
【０００３】
センターケースには、遊技盤の背面側に取り付けられた上ケース体を有する。この上ケース体は、前出の可動体としての駆動扉と、駆動扉を駆動するためのモータ、およびこのモータの出力を駆動扉の駆動力に変換するギア機構を有する駆動手段とが設けられるベース板である。このベース板としての前出の上ケース体には表示部を目視可能にする前出の透孔が形成されている。
【０００４】
ところで、最近、表示部は大型化される傾向にある。表示部が大型化されると、ベース体の透孔が広げられることになる。この透孔が広げられると、ベース板の機械的強度が低下する。この強度低下を抑えるため、ベース部材にリブを設けて補強することが考えられる。
【０００５】
部材の補強にリブを採用することは一般的な技術であり、例えば特許文献２には遊技盤をリブにより補強する技術が開示されている。
【先行技術文献】
【特許文献】
【０００６】
【特許文献１】特開２００７−６１４８７公報
【特許文献２】特開２００８−６１９５０公報
【発明の概要】
【発明が解決しようとする課題】
【０００７】
ところで、遊技盤の裏面側には、可動役物装置以外にも様々な装置が設けられている。このため、前述の事情からベース体を補強するにしても、可動役物装置の寸法は小さいほど好ましい。
【０００８】
本発明の目的は、遊技演出のための表示を行う表示部の前方に配され、この表示部を目視可能にする透孔が形成されたベース板を備えた可動役物装置であって、このベース板を補強しつつ、可動役物装置の大型化を抑えることができる可動役物装置を提供することにある。
【課題を解決するための手段】
【０００９】
前述の目的を達成するために本発明に係る可動役物装置は次のように構成されている。
【００１０】
本発明に係る可動役物装置は、遊技演出のための表示を行う表示部の前方に配され、その表示部を目視可能にする透孔を有する回転可能なベース板と、このベース板に設けられた可動体と、この可動体を前記ベース板上で駆動する駆動手段とを有し、この可動体を動作させて遊技を演出する可動役物装置において、前記ベース板の前面に前記透孔に対向する開口部を有する装飾カバーを固定し、この装飾カバーに後方へ突出する枠部を設けると共に、この枠部の後端部を前記透孔の周辺に位置する前記ベース板の前面側に当接させ、前記枠部により前記ベース板の前面と前記装飾カバーの背面との間に形成された空間に、前記駆動手段の少なくとも一部を収容したことを特徴とする
【００１１】
この可動役物装置において、装飾カバーはベース板の前面に向かって突出して形成された枠部を有し、この枠部のベース板側の端部は、透孔の縁部を形成しているベース板の前面に当接して位置する。つまり、ベース板の前面を装飾する部材によりベース板と装飾カバーとの組立品の機械的強度を向上させることで、ベース板を補強できる。
【００１２】
また、枠部によりベース板の前面と装飾カバーの背面との間に形成された空間に、駆動手段の少なくとも一部が収容されている。これにより、可動役物装置の大型化を抑えることができる。
【００１３】
さらに、ベース板の前面と装飾カバーの背面との間に形成される空間は、ベース板と装飾カバーの組立品の内周側に対して枠部により目隠しされている。つまり、枠部は組立品の内周側の美観を整えつつ、ベース板を補強することができる。また、組立品の内周側の美観を整える部分と、ベース板の補強に益する部分とが別個に設けられる場合よりも、ベース板の補強に伴う組立品の重量の増大を抑えるができる。
【発明の効果】
【００１４】
本発明に係る可動役物装置によれば、前述したように、ベース板を補強しつつ、可動役物装置の大型化を抑えることができる。
【図面の簡単な説明】
【００１５】
【図１】パチンコ機の外観を示す斜視図である。
【図２】図１に示したパチンコ機に備えられる遊技盤の正面図である。
【図３】本発明の一実施形態に係る可動役物装置の正面図である。
【図４】図３に示した可動役物装置の背面図である。
【図５】図３に示した組立品の背面図である。
【図６】図５のＡ−Ａ断面図である。
【図７】図３に示した回転板の正面図である。
【図８】図３のＢ−Ｂ断面図である。
【図９】初期姿勢を成した回転板の正面図である。
【図１０】図９に示した回転板が時計方向の限界角度まで回転した状態の正面図である。
【図１１】図９に示した回転板が反時計方向の限界角度まで回転した状態の正面図である。
【図１２】図２に示した遊技盤に備えられた遊技盤本体と図４に示したケースの位置関係を示す分解斜視図である。
【図１３】遊技盤本体にケースが取り付けられた状態の正面図である。
【図１４】フォトインタラプタが取り付けられたケースの前面と、このケースの背面側に配された表示部を示す正面図である。
【図１５】図１４のＣ部拡大図である。
【図１６】図１３のＤ−Ｄ断面図である。
【図１７】図１２のＥ部拡大図である。
【図１８】遮光板が設けられた回転板の裏面図である。
【図１９】第１，第２扉部材のそれぞれの駆動手段の正面図である。
【図２０】図１９に示した両駆動手段の平面図である。
【図２１】第１，第２扉部材の退避状態を示す斜視図である。
【図２２】第１，第２扉部材のスライド動作中の様子の一例を示す斜視図である。
【図２３】第１，第２扉部材の当接状態を示す斜視図である。
【図２４】第１，第２扉部材のそれぞれの駆動手段の一部が空間に収容された状態を簡略化して示す断面図である。
【図２５】可動役物装置の制御に係るブロック図である。
【図２６】図２３に示した第１，第２扉部材の当接状態における遊技盤の正面図である。
【図２７】図２３に示した第１，第２扉部材の当接状態で回転板が時計方向に４５°回転した状態における遊技盤の正面図である。
【図２８】図２３に示した第１，第２扉部材の当接状態で回転板が反時計方向に４５°回転した状態における遊技盤の正面図である。
【発明を実施するための形態】
【００１６】
本発明の一実施形態に係る可動役物装置ついて図１〜図２８を用いて説明する。なお、以下の説明では、パチンコ機の各部の左右方向を、パチンコ機の前面視における左右方向としている。
【００１７】
図１に示すように、本実施形態に係る可動役物装置は遊技機であるパチンコ機Ｐに採用されている。このパチンコ機Ｐは、遊技場の島設備に配置される機枠１と、機枠１に開き戸状に開閉自在に取り付けられた前面枠２と、前面枠２の前面に開き戸状に開閉自在に取り付けられたガラス扉４と、前面枠２の下方に配設された前面ボード５と、前面ボード５に取り付けられた発射ハンドル６等を具備しており、前面ボード５には受け皿７が設けられている。
【００１８】
図２に示す遊技盤３は、前出の前面枠２に収納保持されている。この遊技盤３の前面には、ガイドレール８等で囲まれた遊技領域９が形成されている。発射ハンドル６が遊技者によって任意角度に回転操作されると、図示してない発射装置が受け皿７に貯留された遊技球を遊技領域９に向けて連続的に打ち出すようになっている。遊技領域９内の略中央から右側の領域には装飾ユニット１０が設けられている。装飾ユニット１０の左右両側方は遊技球の流下通路となっている。遊技盤３の略中央には横長の矩形状の窓１１が設けられている。
【００１９】
遊技盤３の裏面側には、一方の対辺が長い矩形状の液晶パネルから成る表示部１４（図１４参照）が、その長手方向を左右方向に一致させた姿勢で配される。前出の窓１１の形状寸法は、その表示部１４の形状寸法と略同じに設定されており、その表示部１４は窓１１を通じて目視可能となっている。表示部１４は遊技を演出する画面が表示されるよう制御される。
【００２０】
窓１１の下辺には、遊技球が転がるステージ１５が隣接して設けられている。このステージ１５の中央部下方には第１始動入賞口１６と第２始動入賞口１７が上下縦一列に並んで設けられている。第１始動入賞口１６は上面に入賞孔が開口された単純構造の始動入賞口である。第２始動入賞口１７は一対の可動片により開閉する電動チューリップ構造の始動入賞口である。パチンコ機Ｐは、第１始動入賞口１６および第２始動入賞口１７のいずれか一方に遊技球が入賞すると、その入賞を契機として特別図柄表示の電子抽選を行う。そして、この電子抽選の結果を、図示してないセグメント表示装置により、特別図柄を変動した後に停止するという態様で表示する。また、パチンコ機Ｐは特別図柄の表示と並行して、前出の表示部１４に演出用図柄、例えば左図柄、中図柄、右図柄を表示して遊技を演出する。演出用図柄も変動した後に停止するという態様で特別図柄に同期させて表示する。
【００２１】
装飾ユニット１０の左側方の遊技領域９には通過チャッカー１８が設けられている。パチンコ機Ｐは、その通過チャッカー１８を遊技球が通過したことを契機に普通図柄表示の電子抽選を行う。そして、その電子抽選の結果が当たりの場合、第２始動入賞口１７の可動片を一時的に開放して遊技球の入賞を許可する。普通図柄表示も図示してないセグメント表示装置により、変動した後に停止するという態様で行う。
【００２２】
第２始動入賞口１７の真下位置にはアタッカー１９が設けられている。このアタッカー１９は、図示してない大入賞口を開閉する装置である。パチンコ機Ｐは、前述の特別図柄表示の電子抽選の結果が当たりとなって大当たり遊技状態（特別遊技モード）に移行した場合に、そのアタッカー１９を作動させる。具体的には、特別図柄表示の抽選結果が当たりの場合、表示部１４に表示される演出用図柄の変動が例えば「７７７」のような特定図柄で停止した後、アタッカー１９による大入賞口の開放動作を複数回（例えば１５回）繰り返した後に大当たり遊技状態が終了する。アタッカー１９の１回の開放動作は、例えば作動時点から３０秒経過するまで、または、遊技球が大入賞口に例えば１０個入球するまで、大入賞口を開放状態に維持するというものである。
【００２３】
遊技領域９には、第１始動入賞口１６、第２始動入賞口１７、大入賞口の他、遊技球の払い出しのみを行う複数の一般入賞口２０も設けられている。第１始動入賞口１６、第２始動入賞口１７、一般入賞口２０、大入賞口のいずれにも入賞しなかった遊技球は、遊技領域９の最下端部に設けられたアウト口２１から遊技盤３の裏面側に排出されるようになっている。
【００２４】
図１２に示す３ａは遊技盤本体である。この遊技盤本体３ａの前面側には、前出の第１始動入賞口１６、第２始動入賞口１７、アタッカー１９、一般入賞口２０等が設けられた板部材３ｂと、前出の装飾ユニット１０とが取り付けられている。遊技盤本体３ａの略中央には前後方向に貫通した横長の矩形状の透孔３ｃが形成されている。板部材３ｂには、遊技盤本体３ａの透孔３ｃの前方の位置に、板部材３ｂを前後方向に貫通した横長の矩形状の透孔（図示してない）が形成されている。装飾ユニット１０は板部材３ｂの透孔の上下左右４辺の全体を覆って配された状態で、板部材３ｂおよび遊技盤本体３ａに取り付けられている。遊技盤本体３ａの透孔３ｃは、遊技盤本体３ａの裏面に取り付けられた透明板３ｄ（図２に示す）により塞がれており、この透明板３ｄと、装飾ユニット１０の内側に形成された開口部１０ａとによって前出の窓１１が構成されている。
【００２５】
本実施形態に係る可動役物装置は、図３に示す１３である。この可動役物装置１３はケース２２を備えている。このケース２２は、図１２に示すように遊技盤本体３ａの背面に取り付けられている。ケース２２は合成樹脂製の部材であり、背板部２２ｂと、この背板部２２ｂの外縁から前方に突出した壁部２２ｃとが一体に形成されたものである。図１４に示すように、背板部２２ｂの略中央には前後方向に貫通した透孔２２ａが形成されており、この透孔２２ａは前出の表示部１４の前方に配されている。この透孔２２ａの形状寸法も前出の窓１１の形状寸法と同様に、表示部１４の前面視における形状寸法と略同じに設定された横長の矩形状であり、この透孔２２ａを通して表示部１４が目視可能となっている。
【００２６】
図３に示すように、可動役物装置１３はさらに、回転板２３と、この回転板２３の前面の大部分を覆う装飾カバー３８とを備えている。図５に示す９０は、回転板２３と装飾カバー３８の組立品である。ケース２２は前面側で開口しており、組立品９０はケース２２に前方から挿入されて収容されている。
【００２７】
回転板２３は合成樹脂製の部材であり、図７に示すように、大径部２３ａと小径部２３ｂとが一体に形成されたものである。大径部２３ａには横長の矩形状の透孔３３が形成されている。この透孔３３も前出の表示部１４の前方に配されており、表示部１４はその透孔３３を通して目視可能である。また、回転板２３の前面には全体的にリブが張り巡らされている。具体的には、大径部２３ａの外周縁に沿って円弧状に並んだ格子状の複数のリブ７４、透孔３３から外周側に放射状に延びたリブ７５、小径部２３ｂと同心に形成されて径方向に並んだ円弧状の複数のリブ７６、小径部２３ｂの中央で透孔３３側から上方に延びた２条のリブ７７、透孔３３の下方において形成された矩形枠状の複数のリブ７８等が、回転板２３の前面に形成されている。
【００２８】
装飾カバー３８は合成樹脂製の部材である。図３に示すように、装飾カバー３８には本願発明の開口部に相当する透孔３９が設けられており、透孔３９は回転板２３の透孔３３と略同じ形状寸法に形成されている。装飾カバー３８には、その透孔３９の上下左右の４辺全体から回転板２３の方向（後方向）に突出した前面視矩形状の枠部３８ａ（図６参照）が形成されている。図６における３８ａ１，３８ａ２，３８ａ３はそれぞれ、枠部３８ａを前面視した場合の上辺、右辺、下辺に当たる部分である。同図６に示すように、枠部３８ａの回転板２３側の端部は、回転板２３の透孔３３の縁部を形成している回転板２３の前面に当接して位置する。装飾カバー３８は枠部３８ａの近傍の複数個所において回転板２３にネジ止めされている。それら複数のネジ止め個所には、ネジ止め部７９のように枠部３８ａと一体に形成された個所が含まれている。図７において、８０はネジが挿通される挿通孔であり、これらの挿通孔８０の位置で回転板２３と装飾カバー３８とがネジ止めされている。
【００２９】
また、回転板２３には多数の嵌入孔８１が形成されている。装飾カバー３８は、それら多数の嵌入孔８１のそれぞれに対向する個所に、枠部３８と同寸法だけ回転板２３の方向に突出して形成された円柱部（図示してない）を有する。これら円柱部の突端には嵌入孔８１に突起（図示してない）が形成されており、この突起が嵌入穴８１に嵌め入れられている。
【００３０】
図３に示すように、回転板２３はケース２２の背板部２２ｂの上部、左下部および右下部の３個所に係合して設けられた下ガイド部３４Ａ，３４Ｂおよび上ガイド部３４Ｃにより回転可能に支持されている。大径部２３ａの外周縁には、下ガイド部３４Ａ，３４Ｂによりガイドされる円弧状の第１被ガイド部２３ｅが形成されている。小径部２３ｂの外縁には前出の上ガイド部３４Ｃによりガイドされる円弧状の第２被ガイド部２３ｆが形成されている。第１被ガイド部２３ｅの円弧と第２被ガイド部２３ｆの円弧は同心で、第２被ガイド部２３ｆの円弧は第１被ガイド部２３ｅの円弧よりも小径に設定されている。第１被ガイド部２３ｅと第２被ガイド部２３ｆとの間には、第１被ガイド部２３ｅの左端から左方向に延びた平坦な段差部２３ｃと、第１被ガイド部２３ｅの右端部から右方向に延びた段差部２３ｄとが形成されている。
【００３１】
下ガイド部３４Ａ，３４Ｂおよび上ガイド部３４Ｃは、ケース２２の背板部２２ｂに略直交する軸周りに回転自在に設けられたガイドローラである。これら下ガイド部３４Ａ，３４Ｂおよび上ガイド部３４Ｃの構造は同じであり、その構造は２個のローラ部材を軸方向に並べたダブルローラ構造である。このダブルローラ構造について回転板２３の左下部を支持する下ガイド部３４Ａを例にとって説明する。
【００３２】
図８に示すように、回転板２３の左下部を支持する下ガイド部３４Ａは、ケース２２の背板部２２ｂから前方に突起して設けられた支軸３５と、この支軸３５を中心として回転自在に設けられた前側ローラ部材３４ａおよび後側ローラ部材３４ｂとを有する。第１被ガイド部２３ｅは肉厚部２３ｅ１と、この肉厚部２３ｅ１の外周端から外周側に突出した肉薄の鍔部２３ｅ２とを有する。鍔部２３ｅ２は、この鍔部２３ｅ２の外周縁と前側ローラ部材３４ａの軸受部３４ａ１との間に間隙Ｓ１を形成した状態で、前側ローラ部材３４ａと後側ローラ部材３４ｂとの間に挿入されており、鍔部２３ｅ２の前後に位置する肉厚部２３ｅ１の外周端は、前側ローラ部材３４ａおよび後側ローラ部材３４ｂの両方の外周端に当接している。つまり、第１被ガイド部２３ｅは前側ローラ部材３４ａおよび後側ローラ部材３４ｂに対し、径方向では非接触となっている。
【００３３】
回転板２３の右下部をガイドする下ガイド部３４Ｂも下ガイド部３４Ａと同じ構造である。このようにダブルローラ構造の下ガイド部３４Ａ，３４Ｂによって回転板２３の左右両下部を支持すると、回転板２３を確実に支持した上で、第１被ガイド部２３ｅと下ガイド部３４Ａ，３４Ｂとの間に生じる摩擦抵抗を低減して回転板２３をスムーズに回転させることが可能になる。なお、回転板２３の上部中央を支持する上ガイド部３４Ｃの構造も、前側ローラ部材および後側ローラ部材の径寸法が下ガイド部３４Ａの前側ローラ部材３４ａおよび後側ローラ部材３４ｂよりも小さいだけで、下ガイド部３４Ａと同じダブルローラ構造となっている。ただし、上ガイド部３４Ｃには回転板２３の重量が作用しないのでダブルローラ構造でなくても良い。つまり、径方向において鍔部に接触されるローラであってもよい。
【００３４】
図３に示すように、回転板２３よりも下方に位置するケース２２の個所には落下防止片２４が一体形成されている。この落下防止片２４は回転板２３の回転中心Ｏを通る垂線Ｌ上に位置する。落下防止片２４と回転板２３の外周縁とは所定間隔をあけて位置しており、落下防止片２４が回転板２３の回転動作を妨げないようになっている。ただし、回転板２３を支持している下ガイド部３４Ａ，３４Ｂが破損したり、外部からの衝撃等によって回転板２３が下ガイド部３４Ａ，３４Ｂから外れた場合、回転板２３の外周縁が落下防止片２４の上端に当接した時点でそれ以上の動きが規制されるため、回転板２３の落下事故を確実に防止することができる。
【００３５】
回転板２３よりも下方に位置するケース２２の個所には、回転駆動モータ２９が取り付けられている。回転板２３の表面側の下部外周縁にはリングギア３６が設けられている。このリングギア３６と回転駆動モータ２９の間には減速ギア列３０が介在している。減速ギア列３０は、回転駆動モータ２９の出力軸に固着された最初段ギア３０ａと、ケース２２の背板部２２ｂに平行な面内で回転自在に設けられた複数のギアによって構成されている。減速ギア列３０の最終段ギア３０ｂは落下防止片２４の近傍に位置している。この最終段ギア３０ｂは、回転板２３の回転中心Ｏを通る垂線Ｌの近傍で、リングギア３６と噛み合っている。つまり、回転駆動モータ２９の回転が減速ギア列３０およびリングギア３６を介して回転板２３に伝達されるようになっている。
【００３６】
本実施形態の場合、回転板２３は、図９に示す回転板２３の姿勢を回転角度０°の初期姿勢として時計方向と反時計方向のそれぞれの方向に４５°を上限角度として制御される。
【００３７】
ケース２２と回転板２３との間には、回転板２３の時計方向の回転および反時計方向の回転のそれぞれについて、回転板２３の回転の限界角度を規定するストッパ構造が設けられている。図９に示すように、時計方向の回転に対するストッパ構造は、ケース２２の背板部２２ｂの上部中央の左側近傍で前方に突出して設けられたストッパ部２７と、前出の段差部２３ｃとから構成されている。反時計方向の回転に対するストッパ構造は、ケース２２の背板２２ｃの上部中央の右側近傍で前方に突出して設けられたストッパ部２８と、前出の段差部２３ｄとから構成されている。ストッパ部２７，２８は、回転板２３の回転中心Ｏの上側においてその回転中心Ｏから第１被ガイド部２３ｅの半径と同じ距離までの範囲内の位置に設定されているとともに、回転板２３の回転中心Ｏを通る垂線Ｌを挟んで対向して位置する。つまり、図１０に示すように、回転板２３の時計方向の回転の限界角度は、ストッパ部２７に対して段差部２３ｃが当接する角度である。また、図１１に示すように、回転板２３の反時計方向の回転動作の限界角度は、ストッパ部２８に対して段差部２３ｄが当接する角度である。
【００３８】
前出の両ストッパ構造は、回転板２３の回転の限界角度を、制御上の上限角度４５°よりも若干大きく設定されている。つまり、ストッパ部２７と段差部２３ｃは、回転板２３が時計方向に上限角度４５°を超えて過剰に回転することを防止し、ストッパ部２８と段差部２３ｄは、回転板２３が反時計方向に上限角度４５°を超えて過剰に回転することを防止する。
【００３９】
図１４，図１５に示すように、ケース２２の壁部２２ｃは、ストッパ部２７，２８に近接して位置する。ストッパ部２７は、図１３，図１５，図１６を参照して分かるように、背板部２２ｂから突出して形成された略円錐台状の基台部２７ａと、この基台部２７ａから遊技盤３の方向（前方向）に突出して設けられた本体部２７ｂとを有する。本体部２７ｂは回転板２３の回転を阻止する際の段差部２３ｃとの当接部位である。本体部２７ｂは基台部２７ａの頂部に一体形成された心棒部２７ｃ（図１５に示す）と、この心棒部２７ｃの外周面を覆って装着された円筒状のゴム部材２７ｄとから構成されている。
【００４０】
ストッパ部２８もストッパ部２７と同様に、背板部２２ｂから突出して形成された略円錐台状の基台部２８ａと、この基台部２８ａから遊技盤３の方向に突出して設けられた本体部２８ｂとを有する。本体部２８ｂは回転板２３の回転を阻止する際の段差部２３ｄとの当接部位であり、基台部２８ａに一体に形成された心棒部２８ｃと、この心棒部２８ｃの外周面を覆って装着された円筒状のゴム部材２８ｄとから構成されている。
【００４１】
図１５に示すように、基台部２７ａ，２８ａはいずれも、ケース２２の内方側の壁部２２ｃの面に結合するよう壁部２２ｃと一体に形成されている。具体的には、基台部２７ａでは、この基台部２７ａの外周面の上部が壁部２２ｃと一体に形成されている。また、基台部２８ａでは、この基台部２８ａの外周面の上部が連結部２８ｅを介して壁部２２ｃと一体に連結されている。さらに、ストッパ部２７，２８に近接して位置する壁部２２ｃと、この壁部２２ｃの前端面に対向する遊技盤本体３ａとの間には、嵌合構造が設けられている。この嵌合構造は、図１６，図１７を参照して分かるように、壁部２２ｃの前端面に形成された嵌合突起部８２，８３と、遊技盤本体３ａに形成されて嵌合突起部８２，８３がそれぞれ嵌合する嵌合孔８４，８５とから構成されている。
【００４２】
図１４に示すように、落下防止片２４の左斜め上方にはフォトインタラプタ２５，２６が実装されている。図１８に示すように、回転板２３の裏面の外周縁には円弧状の遮光板３７が取り付けられている。この遮光板３７には短尺な遮光壁３７ａと長尺な遮光壁３７ｂが、ケース２２の背板部２２ｂ側に突出して設けられている。これら遮光壁３７ａ，３７ｂのそれぞれの回転軌道上に、フォトインタラプタ２５，２６がそれぞれ位置する。つまり、フォトインタラプタ２５，２６のそれぞれのオン信号とオフ信号の組合せに基づいて回転板２３の初期姿勢と回転方向を検知できるようになっている。具体的には、回転板２３が図９に示す初期姿勢にあるとき、短尺な遮光壁３７ａは一方のフォトインタラプタ２５の光路を横切って位置し、長尺な遮光壁３７ｂは他方のフォトインタラプタ２６の光路を横切って位置し、これらによって両フォトインタラプタ２５，２６からオフ信号が出力される。また、回転板２３が初期姿勢から時計方向へ回転すると、短尺な遮光壁３７ａは一方のフォトインタラプタ２５の光路から外れる位置へ移動し、長尺な遮光壁３７ｂも他方のフォトインタラプタ２６の光路から外れる位置へ移動し、これらによって両フォトインタラプタ２５，２６からオン信号が出力される。逆に、回転板２３が初期姿勢から反時計方向へ回転すると、短尺な遮光壁３７ａは一方のフォトインタラプタ２５の光路から外れる位置へ移動し、長尺な遮光壁３７ｂは他方のフォトインタラプタ２６の光路内を移動し、これらによって一方のフォトインタラプタ２５からオン信号が出力されるとともに他方のフォトインタラプタ２６からオフ信号が出力される。
【００４３】
図３に示すように、回転板２３には、透孔３３の後方において両開きの引き戸状に動作可能に１対の第１扉部材４０および第２扉部材４１が設けられている。これら第１扉部材４０と第２扉部材４１は扉を模した可動体である。これら第１扉部材４０および第２扉部材４１は、図４に示すように、回転板２３の裏面側に位置する。また、回転板２３には、第１扉部材４０の駆動手段を構成している第１モータ４２および第１スクリューシャフト４３等と、第２扉部材４１の駆動手段を構成している第２モータ４４および第２スクリューシャフト４５等とが取り付けられている。つまり、回転板２３は、第１扉部材４０および第２扉部材４１と、これら第１扉部材４０および第２扉部材４１のそれぞれの駆動手段とが取り付けられたベース板である。
【００４４】
図１９に示すように、第１モータ４２と第２モータ４４は互いの出力軸が同軸上に位置するよう左右方向に並び、互いの反出力軸側の端部を向かい合わせて、回転板２３の回転中心Ｏを通る垂線Ｌを対称軸として左右方向に線対称を成して位置する。第１スクリューシャフト４３と第２スクリューシャフト４５は、図示してないが装飾カバー３８の透孔３９の下辺に平行に配置されているとともに、図１９，図２０を参照して分かるように垂線Ｌに直交する同一平面上で前後方向へ位置ずれしている。第１スクリューシャフト４３が第２スクリューシャフト４２よりも前方に位置する。第１スクリューシャフト４３の右側部分と第２スクリューシャフト４５の左側部分とは前後方向にオーバーラップしている。
【００４５】
第１モータ４２のモータケース４２ａと第２モータ４４のモータケース４４ａは、第１スクリューシャフト４３と第２スクリューシャフト４５とがオーバーラップしている左右方向の範囲内に位置し、かつ、第１スクリューシャフト４３と第２スクリューシャフト４５とが位置する前後方向の範囲内に位置する。つまり、第１スクリューシャフト４３は第１モータ４２の出力軸側から第２モータ４４側（左側）に向かって延出しており、第２スクリューシャフト４５は第２モータ４４の出力軸から第１モータ４２側（右側）に向かって延出している。
【００４６】
第１モータ４２の出力軸にはピニオン４６が固着されており、第１スクリューシャフト４３の右端部にはピニオン４８が固着されている。これらピニオン４６，４８が中継ギア４９を介して伝動可能に接続されていることにより、第１モータ４２の回転が第１スクリューシャフト４３に伝達されるようになっている。第２モータ４４の出力軸にはピニオン４７が固着されており、第２スクリューシャフト４５の左端部にはピニオン５０が固着されている。これらピニオン４７，５０が中継ギア５１を介して伝動可能に接続されていることにより、第２モータ４４の回転が第２スクリューシャフト４５に伝達されるようになっている。
【００４７】
第１扉部材４０の下端部にはガイド筒体５２が取り付けられており、このガイド筒体５２は第１スクリューシャフト４３に嵌挿されている。ガイド筒体５２の内周面には第１スクリューシャフト４３の螺旋状溝と係合する突部（図示してない）が形成されている。第１モータ４２の回転に伴って第１扉部材４０は第１スクリューシャフト４３の軸線方向（Ｘ１−Ｘ２方向）へ往復移動する。
【００４８】
また、図７に示すように、小径部２３ａと透孔３３の間の位置にはガイド孔２３ｇが形成されており、これらガイド孔２３ｇは透孔３３の上辺に沿って左右方向へ延びている。図２１等に示すように、第１扉部材４０の上端部には、Ｌ字状に折り曲げられた、すなわち、後方に突出して上方に折れ曲がった突起４０ａが一体形成されており、この突起４０ａは回転板２３に形成された一方のガイド孔２３ｇの上縁の前面に摺動可能に係合している（図６参照）。つまり、第１扉部材４０の上端部の後方向への移動が突起４０ａにより規制されつつ、同上端部の左右方向の移動が一方のガイド孔２３ｇにより許容されている。
【００４９】
同様に、第２扉部材４１の下端部にはガイド筒体５４が取り付けられており、このガイド筒体５４は第２スクリューシャフト４５に嵌挿されている。ガイド筒体５４の内周面には第２スクリューシャフト４５の螺旋状溝と係合する突部（図示してない）が形成されている。つまり、第２モータ４４の回転に伴って第２扉部材４１は第２スクリューシャフト４５の軸線方向（Ｘ１−Ｘ２方向）へ往復移動する。
【００５０】
また、第２扉部材４１の上端部には第１扉部材４０の突起４０ａと同様に、Ｌ字状に折り曲げられた突起４１ａが一体形成されており、この突起４０ａは回転板２３に形成された他方のガイド孔２３ｇの上縁の前面に摺動可能に係合している。つまり、第２扉部材４１の上端部の後方向への移動が突起４１ａにより規制されつつ、同上端部の左右方向の移動が他方のガイド孔２３ｇにより許容されている。
【００５１】
回転板２３が初期姿勢を成した状態において、図１９，図２１に示すように第１扉部材４０と第２扉部材４１が最も離隔した退避位置に位置するとき、第１扉部材４０および第２扉部材４１は、装飾カバー３８の透孔３９を全開状態にする。この全開状態で第１モータ４２と第２モータ４４が同期して一方向に回転すると、図２２に示すように、第１扉部材４０が第１スクリューシャフト４３の軸線に沿って矢印Ｘ１方向へ移動するとともに、第２扉部材４１が第２スクリューシャフト４５の軸線に沿って矢印Ｘ２方向へ移動し、第１扉部材４０と第２扉部材４１の間隔が次第に狭まっていく。さらに第１モータ４２と第２モータ４４の回転が継続すると、図２３に示すように、第１扉部材４０と第２扉部材４１が互いの対向面を当接させた位置まで移動する。このとき、図３に示すように、装飾カバー３８の透孔３９の中央部を含む大部分が第１扉部材４０と第２扉部材４１によって遮蔽された状態となる。
【００５２】
図６に示すように、回転板２３の前面と装飾カバー３８の背面との間には、枠部３８ａにより空間Ｓ２が形成されている。図７に示すように、回転板２３の透孔３３の下方には、前後方向に貫通した矩形状の第１挿入孔７２および第２挿入孔７３が左右に並んで形成されている。図４，図７を参照して分かるように、第１挿入孔７２内には第１モータ４２が位置し、第２挿入孔７３内には第２モータ４４が位置する。図２４に示すように、第１モータ４２は回転板２３の裏側から、モータケース４２ａを略半分だけ第１挿入孔７２に挿入されている。第２モータ４４は回転板２３の裏側から、モータケース４４ａを略半分だけ第２挿入孔７３に挿入されている。第１スクリューシャフト４３および第２スクリューシャフト４５のうち前側の第１スクリューシャフト４３は空間Ｓ２内に位置し、後側の第２スクリューシャフト４５は回転板２３の後方に位置する。第１モータ４２の出力軸に固定されたピニオン４６の径方向の略半分、第１スクリューシャフト４３に固定されたピニオン４８の全体、中継ギア４９の全体も、空間Ｓ２内に収容されている。つまり、空間Ｓ２に、第１扉部材４０および第２扉部材４１のそれぞれの駆動手段の少なくとも一部が収容されている。なお、図２４における回転板２３はリブを省略して描いたものである。
【００５３】
第１モータ４２、第１スクリューシャフト４３、ピニオン４６，４８および中継ギア４９は、ブラケット７０を介して回転板２３に取り付けられている。第２モータ４４、第２スクリューシャフト４５、ピニオン４７，５０および中継ギア５１は、ブラケット７１を介して回転板２３に取り付けられている。
【００５４】
図３に示すように、回転板２３よりも右方に位置するケース２２の背板部２２ｂの個所には、ケーブルガイド３１がネジ止め等によって固定されている。このケーブルガイド３１には、図示してない回路基板が収容されている。この回路基板は、遊技盤３の裏面側に設けられた図示してない制御基板に電気的に接続されている。回路基板にはフラットケーブル３２の一端部が電気的に接続されており、ケーブルガイド３１に形成された導出口から導出されている。回転板２３の外周部にはコネクタ５８が取り付けられており、このコネクタ５８にフラットケーブル３２の他端が電気的に接続されている。コネクタ５８は、回転板２３に設けられた図示してない回路基板および電気ケーブルを介して、回転板２３に搭載された第１モータ４２、第２モータ４４に対して電気的に接続されている。つまり、制御基板から第１モータ４２、第２モータ４４への制御信号がフラットケーブル３２を介して伝送されるようになっている。
【００５５】
ケーブルガイド３１の回転板２３側の面と回転板２３の外周縁との間には弧状空間Ｓ３が形成されている。フラットケーブル３２はその弧状空間Ｓ内に、垂線Ｌに直交する方向とフラットケーブル３２の幅方向が一致した状態で、また、Ｕ字状の反転部３２ａを有した状態で配置されている。反転部３２ａは、フラットケーブル３２がケーブルガイド３１から下方向に導出された後に、上方向に湾曲して形成されたものである。反転部３２ａは、回転板２３の初期姿勢からの時計方向に４５°回転したとき、図１０に示す位置まで移動し、逆に、反時計方向に４５°回転したときには図１１に示す位置まで移動する。
【００５６】
本実施形態に係る可動役物装置１３を制御するための構成について図２５を用いて説明する。
【００５７】
前出の第１始動入賞口１６には、遊技球の入賞に伴い検知信号（電気信号）を出力する第１始動入賞口検知センサ１００が設けられている。また、前出の第２始動入賞口１７には、遊技球の入賞に伴い検知信号（電気信号）を検知する第２始動入賞口検知センサ１０１が設けられている。これら第１始動入賞口検知センサ１００および第２始動入賞口検知センサ１０１のそれぞれにより出力された検知信号は、主制御装置１０２に入力されるようになっている。
【００５８】
主制御装置１０２は前出の図示してない制御基板に設けられている。この主制御装置１０２は、ＣＰＵ（Central Processing Unit）、制御プログラムおよびデータを格納するＲＯＭ（Read Only Memory）、ＣＰＵにより生成された処理情報の一時記憶および記憶した処理情報の削除を行うＲＡＭ（Random Access Memory）等を備え、ＲＯＭに記憶された制御プログラムおよびデータにより、パチンコ遊技に関する処理を実行するものである。この主制御装置１０２は、ＲＯＭに格納された制御プログラムおよびデータにより設定された手段（図示してない）として、前出の特別図柄表示の電子抽選を行う手段と、前出の普通図柄表示の電子抽選を行う手段（図示してない）とを有する以外に、特別図柄表示の電子抽選のために抽出された特別図柄用乱数の情報を、可動役物制御装置１０３に与えるよう設定されている。
【００５９】
可動役物制御装置１０３も前出の制御基板に設けられたものである。この可動役物制御装置１０３はＣＰＵ、ＲＯＭ、ＲＡＭ等を備え、ＲＯＭに記憶された制御プログラムおよびデータにより、回転駆動モータ２９、第１モータ４２および第２モータ４４の制御に係る処理を、主制御装置１０２からの特別図柄用乱数の情報、および、前出のフォトインタラプタ２５，２６のオン／オフ状態に基づいて実行するものである。この可動役物制御装置１０３は、ＲＯＭに記憶された制御プログラムおよびデータにより設定された手段として、可動役物装置１３の動作パターンを抽選する動作パターン抽選手段１０４を有する。この動作パターン抽選手段１０４は、回転駆動モータ２９、第１モータ４２、第２モータ４３の制御パターン、すなわち回転板２３、第１扉部材４０、第２扉部材４１の動作パターンに対応付けられた数値を予め記憶しており、主制御装置１０２から与えられた特別図柄用乱数の情報と、その数値を照合して合致するものがあった場合に、その合致した数値に対応する制御パターンで回転駆動モータ２９、第１モータ４２および第２モータ４４の制御を行う。
【００６０】
回転駆動モータ２９の制御は、フォトインタラプタ２５，２６からのオン信号の有無と、回転駆動モータ２９の制御信号のパルス数に基づいて行われる。回転板２３の動作パターンとしては、例えば、回転板２３が初期姿勢から時計方向に４５°回転した後、反時計方向に回転して初期姿勢に戻る動作パターンや、これとは逆に初期姿勢から反時計方向に４５°回転した後、時計方向に回転して初期姿勢に戻ったりする動作パターン、さらに、時計方向４５°傾斜した姿勢と反時計方向４５°傾斜した姿勢とに繰り返し姿勢を変化させる動作パターンなどがある。
【００６１】
第１モータ４２および第２モータ４４のそれぞれの制御は、制御信号のパルス数に基づいて行われる。第１扉部材４０および第２扉部材４１の動作パターンとしては、例えば、第１扉部材４０と第２扉部材４１とがいずれも退避位置（図２１に示す）から互いに近接する方向に同期して移動し、第１扉部材４０と第２扉部材４１が互いに当接した状態（図２３に示す状態）で一時停止した後、互いに同期して退避位置に戻る動作パターン、第１扉部材４０および第２扉部材４１の一方のみが退避位置から図２３に示す位置まで移動して一時停止した後に退避位置に戻る動作パターン、さらに、第１扉部材４０と第２扉部材４１が図２３に示すように当接して一時停止した後、第１扉部材４０および第２扉部材４１の一方が先に退避位置に戻る動作パターンがある。
【００６２】
これら回転板２３の動作と、一対の第１扉部材４０および第２扉部材４１の動作とを組み合わせることによって、遊技が演出される。回転板２３が初期姿勢の状態で第１扉部材４０と第２扉部材４１が当接した場合、可動役物装置１３は遊技盤３の窓１１を通じて図２６に示すように見える。この状態から回転板２３が時計方向に回転した場合には、可動役物装置１３は図２７に示すように見える。逆に回転板２３が半時計方向に回転した場合には可動役物装置１３は図２８に示すように見える。
【００６３】
なお、通常の遊技状態では、回転板２３が初期姿勢に保持されるとともに、第１扉部材４０と第２扉部材４１は退避位置に保持される。これにより、遊技盤３は図２に示す状態となっている。
【００６４】
本実施形態に係る可動役物装置１３によれば次の効果を得られる。
【００６５】
本実施形態に係る可動役物装置１３において、装飾カバー３８は回転板２３の前面に向かって突出して形成された枠部３８ａを有し、この枠部３８ａの回転板２３（ベース板）側の端部は、回転板２３の透孔３３の縁部を形成している回転板２３の前面に当接して位置する。つまり、回転板２３の前面を装飾する部材により回転板２３と装飾カバー３８との組立品９０の機械的強度を向上させることで、回転板２３を補強できる。
【００６６】
本実施形態に係る可動役物装置１３においては、枠部３８ａにより回転板２３の前面と装飾カバー３８の背面との間に形成された空間Ｓ２に、第１扉部材４０および第２扉部材４１のそれぞれの駆動手段の一部が収容されている。これにより、可動役物装置１３の大型化を抑えることができる。
【００６７】
本実施形態に係る可動役物装置１３においては、回転板２３の前面と装飾カバー３８の背面との間に形成される空間Ｓ２は、回転板２３と装飾カバー３８の組立品９０の内周側に対して枠部３８ａにより目隠しされている。つまり、枠部３８ａは組立品９０の内周側の美観を整えつつ、回転板２３を補強することができる。また、組立品９０の内周側の美観を整える部分と、回転板２３の補強に益する部分とが別個に設けられる場合よりも、回転板２３の補強に伴う組立品９０の重量の増大を抑えるができる。
【００６８】
本実施形態に係る可動役物装置１３において、装飾カバー３８は枠部３８ａの近傍の複数個所で回転板２３にネジ止めされている。これによっても、組立品９０の機械的強度を向上させることができ、回転板２３を補強できる。
【００６９】
本実施形態に係る可動役物装置１３において、装飾カバー３８と回転板２３とはネジ止め個所以外の多数の個所で、嵌入孔８１と柱状部の突起により嵌合している。これによっても、組立品９０の機械的強度の向上させることができる。
【符号の説明】
【００７０】
１３  可動役物装置
１４  表示部
２３  回転板
２９  回転駆動モータ
３０  減速ギア列
３０ａ  最初段ギア
３０ｂ  最終段ギア
３８  装飾カバー
３８ａ  枠部
３８ａ１  上辺
３８ａ２  右辺
３８ａ３  下辺
３９  透孔
７２  第１挿入孔
７３  第２挿入孔
７９  ネジ止め部
８０  挿通孔
８１  嵌入孔
【図１】
0005427530.tif 000002
【図２】
0005427530.tif 000003
【図３】
0005427530.tif 000004
【図４】
0005427530.tif 000005
【図５】
0005427530.tif 000006
【図６】
0005427530.tif 000007
【図７】
0005427530.tif 000008
【図８】
0005427530.tif 000009
【図９】
0005427530.tif 000010
【図１０】
0005427530.tif 000011
【図１１】
0005427530.tif 000012
【図１２】
0005427530.tif 000013
【図１３】
0005427530.tif 000014
【図１４】
0005427530.tif 000015
【図１５】
0005427530.tif 000016
【図１６】
0005427530.tif 000017
【図１７】
0005427530.tif 000018
【図１８】
0005427530.tif 000019
【図１９】
0005427530.tif 000020
【図２０】
0005427530.tif 000021
【図２１】
0005427530.tif 000022
【図２２】
0005427530.tif 000023
【図２３】
0005427530.tif 000024
【図２４】
0005427530.tif 000025
【図２５】
0005427530.tif 000026
【図２６】
0005427530.tif 000027
【図２７】
0005427530.tif 000028
【図２８】
0005427530.tif 000029